(57)【特許請求の範囲】
【請求項１】
電力量を計量する計量装置と、
前記計量装置に取り付けられ且つ前記計量装置で計量された電力量を外部に送信する通信装置とを備え、
前記通信装置は、当該通信装置を前記計量装置に取り付けるための計量装置取付部を有し、
前記計量装置は、電力量計組立時に前記計量装置取付部に嵌合して前記通信装置を取り付けるための第１の通信装置取付部と、
前記第１の通信装置取付部とは異なる位置に形成され、前記計量装置の電流線接続作業時に前記計量装置取付部に嵌合して前記通信装置を取り付けるための第２の通信装置取付部と、
を有することを特徴とする電力量計。
【請求項２】
電力量を計量する計量装置と、
前記計量装置に取り付けられ且つ前記計量装置で計量された電力量を外部に送信する通信装置とを備え、
前記計量装置は、前記通信装置を取り付ける通信装置取付部を有し、
前記通信装置は、電力量計組立時に前記通信装置取付部に嵌合して前記計量装置に取り付けるための第１の計量装置取付部と、
前記第１の計量装置取付部とは異なる位置に形成され、前記計量装置の電流線接続作業時に前記通信装置取付部に嵌合して前記計量装置に取り付けるための第２の計量装置取付部と、
を有することを特徴とする電力量計。
【請求項３】
電力量を計量する計量装置と、
前記計量装置に取り付けられ且つ前記計量装置で計量された電力量を外部に送信する通信装置と、
前記通信装置を前記計量装置に取り付けるための計量装置取付部とを備え、
前記計量装置は、前記通信装置を取り付ける通信装置取付部を有し、
前記計量装置取付部は、前記通信装置取付部に嵌合して前記計量装置に取り付けるための取付部と、嵌合部とを有し、
前記通信装置は、前記嵌合部に嵌合し前記計量装置の電流線接続作業時に回転して当該通信装置を退避させる被嵌合部を有することを特徴とする電力量計。
【請求項４】
電力量を計量する計量装置と、
前記計量装置に取り付けられ且つ前記計量装置で計量された電力量を外部に送信する通信装置とを備え、
前記計量装置は、前記通信装置を取り付ける通信装置取付部を有し、
前記通信装置は、前記通信装置を前記計量装置に取り付けるための計量装置取付部を有し、
前記通信装置取付部は、前記通信装置を前記計量装置に取り付けるための嵌合部を有し、
前記計量装置取付部は、前記嵌合部に嵌合し前記計量装置の電流線接続作業時に回転して当該通信装置を退避させる被嵌合部を有することを特徴とする電力量計。
【請求項５】
電力量を計量する計量装置と、
前記計量装置に取り付けられ且つ前記計量装置で計量された電力量を外部に送信する通信装置と、
前記通信装置を収納するとともに前記通信装置及び前記計量装置を覆うカバーとを備え、
前記カバーは、当該カバーを前記計量装置に取り付けるための計量装置取付部を有し、
前記計量装置は、前記通信装置を取り付けるための通信装置取付部を有し、
前記計量装置取付部は、嵌合部を有し、
前記通信装置取付部は、前記嵌合部に嵌合して前記計量装置の電流線接続作業時に前記カバーを回転させて前記カバーを退避させる被嵌合部を有することを特徴とする電力量計。
【請求項６】
電力量を計量する計量装置と、
前記計量装置に取り付けられ且つ前記計量装置で計量された電力量を外部に送信する通信装置と、
前記通信装置を前記計量装置に取り付けるための計量装置取付部とを備え、
前記計量装置は、前記通信装置を取り付ける通信装置取付部を有し、
前記計量装置取付部は、前記通信装置取付部に嵌合して前記計量装置に取り付けるための取付部と、嵌合部とを有し、
前記通信装置は、前記嵌合部に嵌合し前記計量装置の電流線接続作業時に摺動して当該通信装置を退避させる摺動部を有することを特徴とする電力量計。
【請求項７】
電力量を計量する計量装置と、
前記計量装置に取り付けられ且つ前記計量装置で計量された電力量を外部に送信する通信装置とを備え、
前記計量装置は、前記通信装置を取り付ける通信装置取付部を有し、
前記通信装置取付部は、嵌合部とを有し、
前記通信装置は、前記嵌合部に嵌合し前記計量装置の電流線接続作業時に摺動して当該通信装置を退避させる摺動部を有することを特徴とする電力量計。
【発明の詳細な説明】
【技術分野】
【０００１】
本発明は、計量装置及び通信装置を有する電力量計に関する。
【背景技術】
【０００２】
従来の電力量計は、電力量を計量する計量装置と、計量装置に取り付けられ且つ計量装置で計量された電力量を外部に送信する通信装置とを備えている。
【０００３】
図１５は、従来の電力量計の斜視図である。図１５（ａ）、図１５（ｂ）は電力量計外観を示し、図１５（ｃ）はカバー７を取り外して、通信装置をベース６に取り付けた状態を示し、図１５（ｄ）は通信装置を外した状態を示す。
【０００４】
計量装置は、図１６に示すように、電力量を表示する表示部１ａ及び通信装置接続用コネクタ１ｂを有する回路部１と、電流線取付ねじ２を有する導体部３と、導体部３に流れる電流を検出するセンサ部４と、これらを収納するケース５と、ベース６と、カバー７とを備えている。カバー７にはカバー取付ねじ８が設けられ、ベース６には、コネクタ通し穴６ａと通信装置取付部６ｂと電流線通し穴６ｃとが形成されている。
【０００５】
通信装置は、図１７に示すように、回路部９のケーブル接続用コネクタ９ｂにケーブル１０の基板接続用コネクタ１０ｂを接続し、回路部９のＬＥＤ９ａの光を導光するＬＥＤ導光部１１を上ケース１２のＬＥＤ導光用穴１２ａに取付け、回路部９を上ケース１２と下ケース１３内に収納して形成される。
【０００６】
通信装置の計量装置接続用コネクタ１０ａを計量装置のベース６のコネクタ通し穴６ａを通して、回路部１の通信装置接続用コネクタ１ｂに接続し、通信装置の下ケース１３の計量装置取付部１３ａに形成された突起部１３０を、計量装置のベース６の通信装置取付部６ｂに形成された溝部６０に嵌合させ、カバー７をカバー取付ねじ８によりベース６に取り付けることで電力量計が作製される。
【０００７】
なお、従来技術として、狭く限られたスペースに設置可能であるとともに、既存の電力量計の構造を変えることなく且つ様々な大きさの電力量計に対して適用可能な電力量計用通信装置が知られている。（特許文献１）
【先行技術文献】
【特許文献】
【０００８】
【特許文献１】特許第５３６６６５４号公報
【発明の概要】
【発明が解決しようとする課題】
【０００９】
しかしながら、電力量計取付け時の計量装置に電流線を接続する際の作業として、電流線取付ねじ２のねじ回し作業スペースを確保するため、通信装置を一時的に取り外す必要がある。
【００１０】
通信装置の取り外し作業として、まずコネクタ１０ａを取り外し、計量装置の通信装置接続用コネクタ１ｂおよび、通信装置の計量装置接続用コネクタ１０ａに塵埃が付かないように、それぞれに保護部品を取り付けた上で、通信装置を外して破損しない安全な場所に置く。
【００１１】
その後、電流線接続作業として、電流線取付ねじ２をドライバーで緩め、電流線通し穴６ｃに電流線を通し、電流線取付ねじ２をドライバーで締めて電流線を固定する。作業終了後、各保護部品を取り外した後、コネクタ１０ａの取付および通信装置の取付作業を行う必要があった。
【００１２】
本発明の課題は、電流線接続作業時にコネクタを外すことなく、電流線接続作業を行うことができる電力量計を提供する。
【課題を解決するための手段】
【００１３】
上記課題を解決するために、本発明に係る請求項１の発明は、電力量を計量する計量装置と、前記計量装置に取り付けられ且つ前記計量装置で計量された電力量を外部に送信する通信装置とを備え、前記通信装置は、当該通信装置を前記計量装置に取り付けるための計量装置取付部を有し、前記計量装置は、前記電力量計組立時に前記計量装置取付部に嵌合して前記通信装置を取り付けるための第１の通信装置取付部と、前記第１の通信装置取付部とは異なる位置に形成され、前記計量装置の電流線接続作業時に前記計量装置取付部に嵌合して前記通信装置を取り付けるための第２の通信装置取付部とを有することを特徴とする。
【００１４】
請求項２の発明は、電力量を計量する計量装置と、前記計量装置に取り付けられ且つ前記計量装置で計量された電力量を外部に送信する通信装置とを備え、前記計量装置は、前記通信装置を取り付ける通信装置取付部を有し、前記通信装置は、前記電力量計組立時に前記通信装置取付部に嵌合して前記計量装置に取り付けるための第１の計量装置取付部と、前記第１の計量装置取付部とは異なる位置に形成され、前記計量装置の電流線接続作業時に前記通信装置取付部に嵌合して前記計量装置に取り付けるための第２の計量装置取付部とを有することを特徴とする。
【００１５】
請求項３の発明は、電力量を計量する計量装置と、前記計量装置に取り付けられ且つ前記計量装置で計量された電力量を外部に送信する通信装置と、前記通信装置を前記計量装置に取り付けるための計量装置取付部とを備え、前記計量装置は、前記通信装置を取り付ける通信装置取付部を有し、前記計量装置取付部は、前記通信装置取付部に嵌合して前記計量装置に取り付けるための取付部と、嵌合部とを有し、前記通信装置は、前記嵌合部に嵌合し前記計量装置の電流線接続作業時に回転して当該通信装置を退避させる被嵌合部を有することを特徴とする。
【００１６】
請求項４の発明は、電力量を計量する計量装置と、前記計量装置に取り付けられ且つ前記計量装置で計量された電力量を外部に送信する通信装置とを備え、前記計量装置は、前記通信装置を取り付ける通信装置取付部を有し、前記通信装置は、前記通信装置を前記計量装置に取り付けるための計量装置取付部を有し、前記通信装置取付部は、前記通信装置を前記計量装置に取り付けるための嵌合部を有し、前記計量装置取付部は、前記嵌合部に嵌合し前記計量装置の電流線接続作業時に回転して当該通信装置を退避させる被嵌合部を有することを特徴とする。
【００１７】
請求項５の発明は、電力量を計量する計量装置と、前記計量装置に取り付けられ且つ前記計量装置で計量された電力量を外部に送信する通信装置と、前記通信装置を収納するとともに前記通信装置及び前記計量装置を覆うカバーとを備え、前記カバーは、当該カバーを前記計量装置に取り付けるための計量装置取付部を有し、前記計量装置は、前記通信装置を取り付けるための通信装置取付部を有し、前記計量装置取付部は、嵌合部を有し、前記通信装置取付部は、前記嵌合部に嵌合して前記計量装置の電流線接続作業時に前記カバーを回転させて前記カバーを退避させる被嵌合部を有することを特徴とする。
【００１８】
請求項６の発明は、電力量を計量する計量装置と、前記計量装置に取り付けられ且つ前記計量装置で計量された電力量を外部に送信する通信装置と、前記通信装置を前記計量装置に取り付けるための計量装置取付部とを備え、前記計量装置は、前記通信装置を取り付ける通信装置取付部を有し、前記計量装置取付部は、前記通信装置取付部に嵌合して前記計量装置に取り付けるための取付部と、嵌合部とを有し、前記通信装置は、前記嵌合部に嵌合し前記計量装置の電流線接続作業時に摺動して当該通信装置を退避させる摺動部を有することを特徴とする。
【００１９】
請求項７の発明は、電力量を計量する計量装置と、前記計量装置に取り付けられ且つ前記計量装置で計量された電力量を外部に送信する通信装置とを備え、前記計量装置は、前記通信装置を取り付ける通信装置取付部を有し、前記通信装置取付部は、嵌合部とを有し、前記通信装置は、前記嵌合部に嵌合し前記計量装置の電流線接続作業時に摺動して当該通信装置を退避させる摺動部を有することを特徴とする。
【発明の効果】
【００２０】
本発明によれば、電力量計として通信装置を計量装置に取り付ける電力量計組立時においては、第１の通信装置取付部が計量装置取付部に嵌合して通信装置を取り付け、計量装置の電流線接続作業時においては、第１の通信装置取付部とは異なる位置に形成された第２の通信装置取付部が計量装置取付部に嵌合して通信装置を取り付けるので、電流線接続作業時にコネクタを外すことなく、電流線接続作業を行うことができる。
【図面の簡単な説明】
【００２１】
【図１】本発明の実施例１に係る電力量計の全体構成図である。
【図２】本発明の実施例１の変形例に係る電力量計の全体構成図である。
【図３】本発明の実施例２に係る電力量計の全体構成図及び分解図である。
【図４】本発明の実施例２の変形例に係る電力量計の全体構成図及び分解図である。
【図５】本発明の実施例３に係る電力量計の全体構成図及び分解図である。
【図６】本発明の実施例３の変形例１に係る電力量計の全体構成図及び分解図である。
【図７】本発明の実施例３の変形例２に係る電力量計の全体構成図及び分解図である。
【図８】本発明の実施例４に係る電力量計の全体構成図及び分解図である。
【図９】本発明の実施例４の変形例１に係る電力量計の全体構成図及び分解図である。
【図１０】本発明の実施例４の変形例２に係る電力量計の全体構成図及び分解図である。
【図１１】本発明の実施例５に係る電力量計の全体構成図及び分解図である。
【図１２】本発明の実施例５に係る電力量計の分解図である。
【図１３】本発明の実施例６に係る電力量計の全体構成図及び分解図である。
【図１４】本発明の実施例７に係る電力量計の全体構成図及び分解図である。
【図１５】従来の電力量計の斜視図である。
【図１６】従来の電力量計に設けられた計量装置の分解図である。
【図１７】従来の電力量計に設けられた通信装置の分解図である。
【発明を実施するための形態】
【００２２】
以下、本発明の実施の形態に係る電力量計について、図面を参照しながら詳細に説明する。
【実施例１】
【００２３】
図１は、本発明の実施例１に係る電力量計の全体構成図である。図１（ａ）は計量装置のカバー７を取り外して、ベース６に通信装置を取り付けた電力量計組立状態を示す図である。図１（ｂ）は電流線接続作業時に通信装置をベース６から退避させてケース５に取り付けた状態を示す図である。
【００２４】
計量装置の詳細は、図１６で説明したものと略同一であるので、同一部分は同一部号を付し、その説明は、以後省略する。通信装置の詳細は、図１７で説明したものと略同一であるので、同一部分は同一部号を付し、その説明は、以後省略する。
【００２５】
通信装置には、図１７に示すように、計量装置のベース６に取り付けるため、計量装置取付部１３ａが下ケース１３に形成されている。この計量装置取付部１３ａには、突起部１３０とその周囲に溝部１３１が形成されている。
【００２６】
計量装置は、図１６に示すように、通信装置をベース６に取り付けるため、通信装置の計量装置取付部１３ａに嵌合する通信装置取付部６ｂ（本発明の第１の通信装置取付部に対応）がベース６に形成されている。この通信装置取付部６ｂには、突起部１３０と嵌合する溝部６０が形成されている。
【００２７】
また、計量装置において、図１（ａ）に示すように、通信装置取付部６ｂがあるベースとは異なる位置、即ち、ケース５に通信装置取付部５ａ（本発明の第２の通信装置取付部に対応）が形成されている。この通信装置取付部５ａには、突起部１３０と嵌合する溝部５０が形成されている。
【００２８】
このように構成された実施例１に係る電力量計によれば、電力量計として通信装置を計量装置に取り付ける電力量計組立時においては、図１（ａ）に示すように、通信装置の計量装置取付部１３ａに形成された突起部１３０を、計量装置のベース６に形成された溝部６０に嵌合させて、ベース６に通信装置を取り付けられる。
【００２９】
次に、電流線接続作業時においては、図１（ｂ）に示すように、計量装置のベース６に形成された溝部６０から通信装置の計量装置取付部１３ａに形成された突起部１３０を引き抜き、この突起部１３０を計量装置のケース５に形成された溝部５０に嵌合させて、ケース５に通信装置を取り付けられる。
【００３０】
従って、電流線接続作業時にコネクタ１０ａを外すことなく、通信装置を電力量計組立用から電流線接続作業用に取り付け替えることができ、電流線取付ねじ２のねじ回し作業スペースを確保することができる。
【００３１】
図２は、本発明の実施例１の変形例に係る電力量計の全体構成図である。実施例１の電力量計では、図１（ａ）に示すように、計量装置の通信装置取付部５ａをケース５の左下端に配置し、且つ溝部５０をケース５の表面に略平行になる方向に形成したので、図１（ｂ）に示すように、電流線接続作業時の通信装置取り付け状態は、通信装置が計量装置のケース５に対して略直角に配置される。
【００３２】
これに対して、実施例１の変形例では、図２（ａ）に示すように、計量装置の通信装置取付部５ｂをケース５の略中央左側に配置し、且つ溝部５１をケース５の表面に略直角になる方向に形成したので、計量装置取付部１３ａに形成された突起部１３０をケース５に形成された溝部５１に嵌合させて、ケース５に通信装置を取り付けると、図２（ｂ）に示すように、電流線接続作業時の通信装置取り付け状態は、通信装置が計量装置のケース５に対して略平行に配置される。
【００３３】
このように実施例１の変形例の電力量計であっても、実施例１の電力量計の効果と同様な効果が得られる。また、実施例１の変形例の電力量計では、通信装置がケース５と略平行となるので、実施例１の電力量計よりもスペースが少なくて済む。
【実施例２】
【００３４】
図３は、本発明の実施例２に係る電力量計の全体構成図及び分解図である。図３（ａ）は計量装置のカバー７を取り外して、ベース６に通信装置を取り付けた電力量計組立状態を示す図である。図３（ｂ）は電流線接続作業時に通信装置をベース６から退避させた状態を示す図である。図３（ｃ）（ｄ）は、本発明の実施例２に係る通信装置を示す図である。
【００３５】
この通信装置は、実施例１同様に、電力量計として通信装置を計量装置に取り付ける電力量計組立時に、通信装置をベース６に取り付けるため、下ケース１３に計量装置取付部１３ａ（本発明の第１の計量装置取付部に対応）、突起部１３０、周囲の溝部１３１が形成されている。
【００３６】
また、計量装置取付部１３ａとは異なる位置に、計量装置取付部１３ｂ（本発明の第２の計量装置取付部に対応）が形成されている。この計量装置取付部１３ｂには、突起部１３２と周囲の溝部１３３が形成されている。また、通信装置がケース５に当接しないように計量装置ケース避け部１３４が形成されている。
【００３７】
このように構成された実施例２に係る電力量計によれば、電力量計として通信装置を計量装置に取り付ける電力量計組立時においては、図２（ａ）に示すように、通信装置の計量装置取付部１３ａに形成された突起部１３０を、計量装置のベース６に形成された溝部６０に嵌合させて、ベース６に通信装置を取り付けられる。
【００３８】
次に、電流線接続作業時においては、図２（ｂ）に示すように、計量装置のベース６に形成された溝部６０から通信装置の計量装置取付部１３ａに形成された突起部１３０を引き抜き、通信装置を左方向に移動させて通信装置を電流線取付ねじ２から退避させ、計量装置取付部１３ｂを溝部６０に嵌合させて、ベース６に通信装置を取り付けられる。
【００３９】
従って、電流線接続作業時にコネクタ１０ａを外すことなく、通信装置を電力量計組立用から電流線接続作業用に取り付け替えることができ、電流線取付ねじのねじ回し作業スペースを確保することができる。
【００４０】
図４は、本発明の実施例２の変形例に係る電力量計の全体構成図及び分解図である。図４（ａ）は計量装置のカバー７を取り外して、ベース６に通信装置を取り付けた電力量計組立状態を示す図である。図４（ｂ）は電流線接続作業時に通信装置を電流線取付ねじ２から退避させた状態を示す図である。図４（ｃ）は本発明の実施例２の変形例に係る通信装置を示す図である。
【００４１】
この通信装置には、実施例１同様に、電力量計として通信装置を計量装置に取り付ける電力量計組立時に、通信装置をベース６に取り付けるため、下ケース１３に計量装置取付部１３ａ（本発明の第１の計量装置取付部に対応）、突起部１３０、周囲の溝部１３１が形成されている。
【００４２】
また、計量装置取付部１３ａとは別に、通信装置の上ケース１２に計量装置取付部１２ｂ、突起部１２０、周囲の溝部１２１が形成されている。
【００４３】
このように構成された実施例２の変形例に係る電力量計によれば、電力量計として通信装置を計量装置に取り付ける電力量計組立時においては、図４（ａ）に示すように、通信装置の計量装置取付部１３ａに形成された突起部１３０を、計量装置のベース６に形成された溝部６０に嵌合させて、ベース６に通信装置を取り付けられる。
【００４４】
次に、電流線接続作業時においては、図４（ｂ）に示すように、計量装置のベース６に形成された溝部６０から通信装置の計量装置取付部１３ａに形成された突起部１３０を引き抜き、通信装置を縦方向に９０°回転させて、通信装置を電流線取付ねじ２から退避させ、計量装置取付部１２ｂに形成された突起部１２０をベース６に形成された溝部６０に嵌合させて、ベース６に通信装置を取り付けられる。
【００４５】
この場合、通信装置がベース６に対して、略直角に配置されるので、通信装置が電流線取付ねじ２を覆うことがなくなる。従って、実施例２の変形例の電力量計であっても、実施例１の電力量計の効果と同様な効果が得られる。
【実施例３】
【００４６】
図５は、本発明の実施例３に係る電力量計の全体構成図及び分解図である。図５（ａ）は計量装置のカバー７を取り外して、ベース６に通信装置を取り付けた電力量計組立状態を示す図である。図５（ｂ）は電流線接続作業時に通信装置をベース６から退避させた状態を示す図である。図５（ｃ）（ｄ）は通信装置に計量装置取付部１５が取り付けられた状態を示す図である。図５（ｅ）（ｆ）は通信装置と計量装置取付部１５との分解図である。
【００４７】
図５（ｅ）（ｆ）に示すように、通信装置をベース６に取り付けるため、計量装置取付部１５が別部品として追加されている。計量装置取付部１５には、実施例１同様に、電力量計として通信装置を計量装置に取り付ける電力量計組立時に、通信装置をベース６に取り付けるため、突起部１３０、周囲の溝部１３１が形成されている。また、計量装置取付部１５を通信装置に取り付けるため、２つの突起部１５１と、突起部１５１各々に穴部１５２（本発明の嵌合部に対応）が形成されている。
【００４８】
通信装置には、図５（ｅ）（ｆ）に示すように、切欠部１４２が形成され、図５（ｃ）（ｄ）に示すように、切欠部１４２には計量装置取付部１５が当接している。また、通信装置には、上ケース１２、下ケース１３、または上ケース１２と下ケース１３両方のいずれかで形成される突起部１４が形成されている。この突起部１４には、計量装置取付部１５に形成された２つの穴部１５２に嵌合して蝶番を構成し、その回転軸となる突起部１４１（本発明の被嵌合部に対応）が形成されている。
【００４９】
このように構成された実施例３に係る電力量計によれば、電力量計として通信装置を計量装置に取り付ける電力量計組立時においては、図５（ａ）に示すように、計量装置取付部１５に形成された突起部１３０をベース６に形成された溝部６０に嵌合させると、ベース６に通信装置が取り付けられる。
【００５０】
次に、電流線接続作業時においては、図５（ｂ）に示すように、突起部１４１を回転軸として通信装置を上方に回転させると、電流線取り付けねじ２から通信装置が退避される。
【００５１】
従って、実施例３の電力量計であっても、実施例１の電力量計の効果と同様な効果が得られる。また、計量装置取付部１５を追加することで、実施例１，２に比較して、通信装置を取り外すことなく、電流線接続作業を行える。さらに、通信装置がケース５と略平行となるので、実施例１の電力量計よりもスペースが少なくて済む。
【００５２】
図６は、本発明の実施例３の変形例１に係る電力量計の全体構成図及び分解図である。
図６（ａ）は計量装置のカバー７を取り外して、ベース６に通信装置を取り付けた電力量計組立状態を示す図である。図６（ｂ）は電流線接続作業時に通信装置をベース６から退避させた状態を示す図である。図６（ｃ）（ｄ）は通信装置に計量装置取付部１７が取り付けられた状態を示す図である。図６（ｅ）（ｆ）は通信装置と計量装置取付部１７との分解図である。
【００５３】
図６（ｅ）（ｆ）に示すように、通信装置をベース６に取り付けるため、計量装置取付部１７が部品として追加されている。計量装置取付部１７には、前例同様に、突起部１３０、周囲の溝部１３１、２つの突起部１７１、突起部１７１各々に穴部１７２（本発明の嵌合部に対応）が形成されている。
【００５４】
通信装置には、図６（ｅ）（ｆ）に示すように、切欠部１６２が形成され、図６（ｃ）（ｄ）に示すように、切欠部１６２には計量装置取付部１７が当接している。また、通信装置には、上ケース１２、下ケース１３、または上ケース１２と下ケース１３両方のいずれかで形成される突起部１６が設けられており、この突起部１６には、計量装置取付部１７に形成された２つの穴部１７２に嵌合して蝶番を構成し、その回転軸となる突起部１６１（本発明の被嵌合部に対応）が形成されている
このように構成された実施例３の変形例１に係る電力量計によれば、電力量計として通信装置を計量装置に取り付ける電力量計組立時においては、図６（ａ）に示すように、計量装置取付部１７に形成された突起部１３０をベース６に形成された溝部６０に嵌合させて、ベース６に通信装置を取り付けられる。
【００５５】
次に、電流線接続作業時においては、図６（ｂ）に示すように、突起部１６１を回転軸として通信装置を時計方向に回転させると、電流線取り付けねじ２から通信装置が退避される。
【００５６】
従って、実施例３の変形例１の電力量計であっても、実施例３の電力量計の効果と同様な効果が得られる。
【００５７】
図７は、本発明の実施例３の変形例２に係る電力量計の全体構成図及び分解図である。図７（ａ）は計量装置のカバー７を取り外して、ベース６に通信装置を取り付けた電力量計組立状態を示す図である。図７（ｂ）は電流線接続作業時に通信装置をベース６から退避させた状態を示す図である。図７（ｃ）（ｄ）は通信装置に計量装置取付部１９が取り付けられた状態を示す図である。図７（ｅ）（ｆ）は通信装置と計量装置取付部１９との分解図である。
【００５８】
図７（ｅ）（ｆ）に示すように、通信装置をベース６に取り付けるため、計量装置取付部１９が部品として追加されている。計量装置取付部１９には、前例同様に、突起部１３０、周囲の溝部１３１、２つの穴部１９１（本発明の嵌合部に対応）が形成されている。
【００５９】
通信装置には、図７（ｅ）（ｆ）に示すように、上ケース１２、下ケース１３、または上ケース１２と下ケース１３両方のいずれかで形成される突起部１８が設けられており、この突起部１８には、計量装置取付部１９に形成された２つの穴部１９１に嵌合して蝶番を構成し、その回転軸となる突起部１８１（本発明の被嵌合部に対応）が形成されている。
【００６０】
このように構成された実施例３の変形例２に係る電力量計によれば、電力量計として通信装置を計量装置に取り付ける電力量計組立時においては、図７（ａ）に示すように、計量装置取付部１９に形成された突起部１３０をベース６に形成された溝部６０に嵌合させて、ベース６に計量装置を取り付けられる。
【００６１】
次に、電流線接続作業時においては、図７（ｂ）に示すように、突起部１８１を中心として通信装置を回転させると、電流線取り付けねじ２から通信装置が退避される。
【００６２】
従って、実施例３の変形例２の電力量計であっても、実施例３の電力量計の効果と同様な効果が得られる。
【実施例４】
【００６３】
図８は、本発明の実施例４に係る電力量計の全体構成図及び分解図である。図８（ａ）は計量装置のカバー７を取り外して、ベース６に通信装置を取り付けた電力量計組立状態を示す図である。図８（ｂ）は電流線接続作業時に通信装置をベース６から退避させた状態を示す図である。図８（ｃ）はベース６に設けられた通信装置取付部２０を示す図である。図８（ｄ）（ｅ）は計量装置取付部２１を有する通信装置を示す図である。
【００６４】
図８（ｃ）に示すように、ベース６には、通信装置を取り付ける通信装置取付部２０が形成されている。通信装置取付部２０には、２つの穴部２０１（本発明の嵌合部に対応）が形成されている。
【００６５】
通信装置には、図８（ｄ）（ｅ）に示すように、通信装置をベース６に取り付けるため、上ケース１２、下ケース１３、または上ケース１２と下ケース１３両方のいずれかで形成される計量装置取付部２１が形成されている。計量装置取付部２１には、突起部２１１が設けられており、この突起部２１１には、ベース６に形成された２つの穴部２０１に嵌合して蝶番を構成し、その回転軸となる突起部２１２（本発明の被嵌合部に対応）が形成されている。
【００６６】
このように構成された実施例４に係る電力量計によれば、電力量計として通信装置を計量装置に取り付ける電力量計組立時においては、図８（ａ）に示すように、計量装置取付部２１に形成された突起部２１２を、ベース６に形成された穴部２０１に蝶番を構成して嵌合することで、電力量計が組立てられている。
【００６７】
次に、電流線接続作業時においては、図８（ｂ）に示すように、突起部２１２を回転軸として通信装置を回転させると、電流線取り付けねじ２から通信装置が退避される。
【００６８】
従って、実施例４の電力量計であっても、実施例１の電力量計の効果と同様な効果が得られる。また、実施例３に比べ、部品としての通信装置取付部が不要であるので、部品点数削減によるコストを低減できる。さらに、通信装置がケース５と略平行となるので、実施例１の電力量計よりもスペースが少なくて済む。また、簡単に外れないため、通信装置の滑落防止対策に有効である。
【００６９】
図９は、本発明の実施例４の変形例１に係る電力量計の全体構成図及び分解図である。図９（ａ）は計量装置のカバー７を取り外して、ベース６に通信装置を取り付けた電力量計組立状態を示す図である。図９（ｂ）は電流線接続作業時に通信装置をベース６から退避させた状態を示す図である。図９（ｃ）はベース６に設けられた通信装置取付部２２を示す図である。図９（ｄ）（ｅ）は計量装置取付部２３を有する通信装置を示す図である。
【００７０】
図９（ｃ）に示すように、ベース６には、通信装置を取り付ける通信装置取付部２２が形成されている。通信装置取付部２２には、２つの穴部２２１（本発明の嵌合部に対応）が形成されている。
【００７１】
通信装置には、図９（ｄ）（ｅ）に示すように、通信装置をベース６に取り付けるため、上ケース１２、下ケース１３、または上ケース１２と下ケース１３両方のいずれかで形成される計量装置取付部２３が形成されている。計量装置取付部２３には、突起部２３１が設けられており、この突起部２３１には、ベース６に形成された２つの穴部２２１に嵌合して蝶番を構成し、その回転軸となる突起部２３２（本発明の被嵌合部に対応）が形成されている。
【００７２】
このように構成された実施例４の変形例１に係る電力量計によれば、電力量計として通信装置を計量装置に取り付ける電力量計組立時においては、図９（ａ）に示すように、計量装置取付部２３に形成された突起部２３２を、ベース６に形成された穴部２２１に蝶番を構成して嵌合することで、電力量計が組立てられている。
【００７３】
次に、電流線接続作業時においては、図９（ｂ）に示すように、突起部２３２を回転軸として通信装置を回転させると、電流線取り付けねじ２から通信装置が退避される。
【００７４】
従って、実施例４の変形例１の電力量計であっても、実施例４の電力量計の効果と同様な効果が得られる。
【００７５】
図１０は、本発明の実施例４の変形例２に係る電力量計の全体構成図及び分解図である。図１０（ａ）は計量装置のカバー７を取り外して、ベース６に通信装置を取り付けた電力量計組立状態を示す図である。図１０（ｂ）は電流線接続作業時に通信装置をベース６から退避させた状態を示す図である。図１０（ｃ）はベース６に設けられた通信装置取付部２４を示す図である。図１０（ｄ）（ｅ）は計量装置取付部２５を有する通信装置を示す図である。
【００７６】
図１０（ｃ）に示すように、ベース６には、通信装置を取り付ける通信装置取付部２４が２つの突起部として形成されている。通信装置取付部２４には、２つの突起部各々に穴部２４１（本発明の嵌合部に対応）が形成されている。
【００７７】
通信装置には、図１０（ｄ）（ｅ）に示すように、通信装置をベース６に取り付けるため、上ケース１２、下ケース１３、または上ケース１２と下ケース１３両方のいずれかで形成される計量装置取付部２５が形成されている。計量装置取付部２５には、ベース６に形成された２つの穴部２４１に嵌合して蝶番を構成し、その回転軸となる突起部２５１（本発明の被嵌合部に対応）が形成されている。
【００７８】
このように構成された実施例４の変形例２に係る電力量計によれば、電力量計として通信装置を計量装置に取り付ける電力量計組立時においては、図１０（ａ）に示すように、計量装置取付部２５に形成された突起部２５１を、ベース６に形成された穴部２４１に蝶番を構成して嵌合することで、電力量計が組立てられている。
【００７９】
次に、電流線接続作業時においては、図１０（ｂ）に示すように、突起部２５１を回転軸として通信装置を回転させると、電流線取り付けねじ２から通信装置が退避される。  従って、実施例４の変形例２の電力量計であっても、実施例４の電力量計の効果と同様な効果が得られる。
【実施例５】
【００８０】
図１１は、本発明の実施例５に係る電力量計の全体構成図及び分解図である。図１２は、本発明の実施例５に係る電力量計の分解図である。図１１（ａ）は電力量計として組立られた状態を示す図である。図１１（ｂ）は電流線接続作業時に通信装置を収納したカバー７をベース６から退避させた状態を示す図である。図１１（ｃ）は計量装置のカバー７を取り外した状態を示す図である。図１１（ｄ）は通信装置を収納したカバー７を示す図である。
【００８１】
カバー７には、図１１（ｄ）及び図１２に示すように、カバー７をケース５に取り付けるための計量装置取付部２７が２つの突起部として形成されている。計量装置取付部２７には、２つの突起部各々に穴部２７１（本発明の嵌合部に対応）が形成されている。  ケース５には、図１１（ｃ）に示すように、カバー７を取り付けるための通信装置取付部２６が形成されている。通信装置取付部２６には、カバー７に形成された２つの穴部２７１に嵌合して蝶番を構成し、その回転軸となる突起部２６１（本発明の被嵌合部に対応）が形成されている。
【００８２】
また、通信装置は、図１７で説明した通信装置において、下ケース１３を形状変更したカバー７に置き換えたもので、同一部分は同一部号を付し、その説明は、省略する。
【００８３】
このように構成された実施例５に係る電力量計によれば、電力量計として通信装置を計量装置に取り付ける電力量計組立時においては、図１１（ａ）に示すように、カバー７に形成された計量装置取付部２７の穴部２７１に、ケース５に形成された通信装置取付部２６に形成された突起部２６１を嵌合させて、ケース５に通信装置を収納したカバー７を取り付けられる。
【００８４】
次に、電流線接続作業時においては、図１１（ｂ）に示すように、突起部２６１を回転軸としてカバー７を回転させると、電流線取り付けねじ２からカバー７が退避される。  従って、実施例５の電力量計であっても、実施例１の電力量計の効果と同様な効果が得られる。また、下ケース１３が不要となるので、部品点数削減によるコストを低減することができる。
【実施例６】
【００８５】
図１３は、本発明の実施例６に係る電力量計の全体構成図及び分解図である。図１３（ａ）は計量装置のカバー７を取り外して、ベース６に通信装置を取り付けた電力量計組立状態を示す図である。図１３（ｂ）は電流線接続作業時に通信装置をベース６から退避させた状態を示す図である。図１３（ｃ）（ｄ）は通信装置に計量装置取付部２８が取り付けられた状態を示す図である。図１３（ｅ）（ｆ）は通信装置と計量装置取付部２８との分解図である。
【００８６】
図１３（ｅ）（ｆ）に示すように、通信装置をベース６に取り付けるため、計量装置取付部２８が別部品として追加されている。計量装置取付部２８には、実施例１同様に、電力量計として通信装置を計量装置に取り付ける電力量計組立時に、通信装置をベース６に取り付けるため、突起部１３０、周囲の溝部１３１が形成されている。また、計量装置取付部２８を通信装置に取り付けるため、２つの突起部２８１、２８２（本発明の嵌合部に対応）が形成されている。
【００８７】
通信装置には、図１３（ｅ）に示すように、上ケース１２の正面側に横方向に沿った溝部２９が形成されている。また、図１３（ｆ）に示すように、下ケース１３の背面側に横方向に沿った溝部３０が形成されている。計量装置取付部２８の突起部２８１は溝部２９に、突起部２８２は溝部３０に嵌合して通信装置が組立てられ、通信装置は計量装置取付部２８に対して、溝部２９、３０（摺動部）に沿って横方向に摺動可能となる。
【００８８】
このように構成された実施例６に係る電力量計によれば、電力量計として通信装置を計量装置に取り付ける電力量計組立時においては、図１３（ａ）に示すように、計量装置取付部２８に形成された突起部１３０を、計量装置のベース６に形成された溝部６０に嵌合させて、ベース６に通信装置が取り付けられる。このとき、計量装置取付部２８の突起部２８１、２８２は、通信装置の溝部２９、３０の左端に位置することになる。
【００８９】
次に、電流線接続作業時においては、図１３（ｂ）に示すように、通信装置を左方向に摺動移動させ、計量装置取付部２８の突起部２８１、２８２が、通信装置の溝部２９、３０の右端に位置するようにして、電流線取り付けねじ２から通信装置が退避される。
【００９０】
従って、実施例６の電力量計であっても、実施例１の電力量計の効果と同様な効果が得られる。
【実施例７】
【００９１】
図１４は、本発明の実施例７に係る電力量計の全体構成図及び分解図である。図１４（ａ）は計量装置のカバー７を取り外して、ベース６に通信装置を取り付けた電力量計組立状態を示す図である。図１４（ｂ）は電流線接続作業時に通信装置をベース６から退避させた状態を示す図である。図１４（ｃ）（ｄ）はベース６に設けられた通信装置取付部３１を示す図である。図１４（ｅ）（ｆ）は溝部を有する通信装置を示す図である。
【００９２】
図１４（ｃ）に示すように、ベース６には、通信装置を取り付ける通信装置取付部３１が形成されている。通信装置取付部３１には、２つの突起部３１１、３１２（本発明の嵌合部に対応）が形成されている。
【００９３】
通信装置には、図１４（ｅ）に示すように、上ケース１２の正面側に横方向に沿った溝部３２が形成されている。また、図１４（ｆ）に示すように、下ケース１３の背面側に横方向に沿った溝部３３が形成されている。通信装置取付部３１の突起部３１１は溝部３２に、突起部３１２は溝部３３に嵌合して電力量計が組立てられ、通信装置は通信装置取付部３１に対して、溝部３２、３３に沿って横方向に摺動可能となる。
【００９４】
このように構成された実施例７に係る電力量計によれば、電力量計として通信装置を計量装置に取り付ける電力量計組立時においては、図１４（ａ）に示すように、通信装置取付部３１に形成された突起部３１１、３１２を、通信装置に形成された溝部３２、３３にそれぞれ嵌合させて、ベース６に通信装置が取り付けられる。このとき、通信装置取付部３１の突起部３１１、３１２は、通信装置の溝部３２、３３の左端に位置することになる。
【００９５】
次に、電流線接続作業時においては、図１４（ｂ）に示すように、通信装置を左方向に摺動移動させ、通信装置取付部３１の突起部３１１、３１２が、通信装置の溝部３２、３３の右端に位置するようにして、電流線取り付けねじ２から通信装置が退避される。
【００９６】
従って、実施例７の電力量計であっても、実施例４の電力量計の効果と同様な効果が得られる。
【符号の説明】
【００９７】
１，９  回路部
１ａ  表示部
２  電流線取付ねじ
３  導体部
４  センサ部
５  ケース
５ａ，５ｂ，６ｂ，６ｄ，６ｅ  通信装置取付部
６  ベース
６ａ  コネクタ通し穴
７  カバー
８  カバー取付ねじ
１０  ケーブル
１０ａ  計量装置接続用コネクタ
１２  上ケース
１３  下ケース
１２ｂ，１２ｄ，１２ｅ，１３ａ，１３ｂ  計量装置取付部
５０，５１，６０，１３１，１３２  溝部
１２０，１３０  突起部
１３４  計量装置ケース避け部
１５１，１９１  穴部
１４１，１６１，２１２  回転軸
【図１】
0006560995.tif 000002
【図２】
0006560995.tif 000003
【図３】
0006560995.tif 000004
【図４】
0006560995.tif 000005
【図５】
0006560995.tif 000006
【図６】
0006560995.tif 000007
【図７】
0006560995.tif 000008
【図８】
0006560995.tif 000009
【図９】
0006560995.tif 000010
【図１０】
0006560995.tif 000011
【図１１】
0006560995.tif 000012
【図１２】
0006560995.tif 000013
【図１３】
0006560995.tif 000014
【図１４】
0006560995.tif 000015
【図１５】
0006560995.tif 000016
【図１６】
0006560995.tif 000017
【図１７】
0006560995.tif 000018